(57)【特許請求の範囲】
【請求項１】
スイッチの動作により制御される電気設備のための負荷制御モジュールであって、
前記スイッチがオンとなる時、供給電圧を変換し且つ蓄積電圧を出力し、前記スイッチがオフとなる時、所定時間中、前記蓄積電圧を継続的に出力するエネルギー蓄積ユニットと、
前記エネルギー蓄積ユニットに連結され、前記蓄積電圧により駆動され、前記スイッチから出力される前記供給電圧を計数信号に変換するよう構成される信号変換ユニットと、
前記エネルギー蓄積ユニットおよび前記信号変換ユニットに連結され、前記蓄積電圧により駆動され、前記計数信号をフィルタおよび整流して整流信号を出力するよう構成される第１制御ユニットであって、前記整流信号のレベルが第２レベルに切り換えられるとともに計数信号の計数が停止する時、前記整流信号が第１レベルから第２レベルに切り換えられる時に前記第１制御ユニットがクランピング信号の前記レベルを前記第２レベルにラッチし、蓄積電圧が出力の停止状態から回復し、前記第１制御ユニットが再起動されるまで、前記第１制御ユニットが前記第１レベルを有する前記クランピング信号を出力する第１制御ユニットと、
前記エネルギー蓄積ユニットと、前記信号変換ユニットと、前記第１制御ユニットと、前記電気設備とに連結され、前記蓄積電圧により駆動され、制御電圧を出力して前記電気設備の特性パラメータを制御するよう構成される第２制御ユニットと、
を含み、前記第２制御ユニットが前記第１レベルを有する前記クランピング信号を受信する時、前記第２制御ユニットが前記計数信号に応じて継続的に計数し、前記計数信号から少なくとも１つの波を受信する度に前記制御電圧のレベルを調節し、前記第２制御ユニットが所定値まで計数するか、または前記第２レベルを有する前記クランピング信号を受信する時、前記第２制御ユニットが計数することを停止し、前記制御電圧の前記レベルが前記整流信号の逆変換信号が前記第１レベルに切り換えられる時に複数の所定レベルの１つに切り換えられるようにした負荷制御モジュール。
【請求項２】
前記第２制御ユニットが、
前記信号変換ユニットに連結される周波数分周器であって、前記周波数分周器が起動される時、前記計数信号の周波数を特定周波数に分割して方形波信号を出力するよう構成される周波数分周器と、
前記周波数分周器および前記第１制御ユニットに連結される計数ユニットであって、前記計数ユニットが起動される時、前記方形波信号に基づき累積値を前記所定値まで計数するよう構成される計数ユニットであって、前記計数ユニットが前記所定値まで計数するか、または前記第２レベルを有する前記クランピング信号を受信する時、前記計数ユニットが計数することを停止し、前記第２レベルを有する割り込み信号を発生する計数ユニットと、
前記計数ユニットおよび前記第１制御ユニットに連結される粗さ調節ユニットであって、前記粗さ調節ユニットが起動される時、前記整流信号の前記逆変換信号および前記割り込み信号に基づき複数の所定レベル調節値の１つを出力することを決定し、特定調節値および制御信号を発生し、前記レベル調節値がそれぞれ前記所定レベルに対応する粗さ調節ユニットと、
前記計数ユニットおよび前記粗さ調節ユニットに連結されるマルチプレクサであって、前記マルチプレクサが前記制御信号を受信する時、前記特定調節値を出力し、そうではない時、前記累積値を出力するよう構成されるマルチプレクサと、
前記マルチプレクサに連結されるデジタルアナログ変換器であって、前記デジタルアナログ変換器が起動される時、前記制御電圧を出力し、前記累積値または前記特定調節値に基づき前記制御電圧の前記レベルを変換するよう構成されるデジタルアナログ変換器と
を含み、前記周波数分周器と、前記計数ユニットと、前記粗さ調節ユニットと、前記マルチプレクサと、前記デジタルアナログ変換器とが、それぞれ前記エネルギー蓄積ユニットに連結され、前記蓄積電圧により駆動される請求項１記載の負荷制御モジュール。
【請求項３】
前記第２制御ユニットが更に、
前記エネルギー蓄積ユニットと、前記デジタルアナログ変換器と、前記電気設備とに連結され、前記蓄積電圧により駆動されるバッファであって、前記バッファが起動される時、前記制御電圧をバッファおよび出力するよう構成されるバッファを含む請求項２記載の負荷制御モジュール。
【請求項４】
前記計数ユニットが、
前記エネルギー蓄積ユニットおよび前記周波数分周器に連結され、前記蓄積電圧により駆動される計数器であって、前記計数器が起動される時、前記方形波信号に基づき前記累積値を前記所定値まで計数するよう構成される計数器と、
前記クランピング信号および前記状態信号の逆変換信号を受信して前記割り込み信号を発生する第１ＡＮＤゲートと
を含み、前記割り込み信号が前記第２レベルを有する時、前記計数器が計数することを停止する請求項２記載の負荷制御モジュール。
【請求項５】
前記粗さ調節ユニットが、
前記割り込み信号および前記整流信号の前記逆変換信号が前記第１レベルを有する時、有効信号を発生する第２ＡＮＤゲートと、
前記エネルギー蓄積ユニットおよび前記第２ＡＮＤゲートに連結され、前記蓄積電圧により駆動されるレベルセレクタであって、前記レベルセレクタが起動される時、前記有効信号に基づき前記レベル調節値の１つを選択し前記特定調節値とするよう構成されるレベルセレクタとを含む請求項２記載の負荷制御モジュール。
【請求項６】
前記エネルギー蓄積ユニットが更に、前記蓄積電圧の高遷移中、第１リセット信号を出力し、前記蓄積電圧の前記レベルが閾値まで達する時、第２リセット信号を出力し、前記第１制御ユニットが前記第１リセット信号に基づき前記クランピング信号の前記レベルを前記第１レベルに切り換え、前記第２制御ユニットが前記第１リセット信号または前記第２リセット信号に基づきリセットされる請求項１記載の負荷制御モジュール。
【請求項７】
前記エネルギー蓄積ユニットが、
第１ダイオードであって、前記第１ダイオードの陽極が前記スイッチに連結される第１ダイオードと、
第１レジスタであって、前記第１レジスタの第１端が前記第１ダイオードの陰極に連結される第１レジスタと、
第２レジスタであって、前記第２レジスタの第１端が前記第１レジスタの第２端に連結され、前記第２レジスタの第２端が前記グランドに連結される第２レジスタと、
第１キャパシタであって、前記第１キャパシタの第１端が前記第１レジスタの前記第２端に連結され、前記第１キャパシタの第２端が前記グランドに連結される前記第１キャパシタと、
前記第２レジスタの前記第１端に連結され、前記蓄積電圧を出力するよう構成されるレギュレータと、
前記レギュレータに連結され、前記蓄積電圧のレベルを検知し、前記蓄積電圧の前記高遷移中、前記第１リセット信号を出力し、前記蓄積電圧が前記閾値に達する時に前記第２リセット信号を出力するリセット回路とを含む請求項６記載の負荷制御モジュール。
【請求項８】
前記第１制御ユニットが、
前記信号変換ユニットに連結され、前記計数信号をフィルタおよび整流して前記整流信号を出力するフィルタリング整流ユニットと、
前記エネルギー蓄積ユニットおよび前記フィルタリング整流ユニットに連結されるラッチングユニットであって、前記ラッチングユニットが起動される時、前記整流信号に基づき前記クランピング信号を出力し、前記整流信号の前記レベルが前記第１レベルから前記第２レベルに切り換えられる時、前記ラッチングユニットが再起動されるまで、前記ラッチングユニットが前記クランピング信号の前記レベルを前記第２レベルにラッチするラッチングユニットとを含む請求項１記載の負荷制御モジュール。
【請求項９】
前記フィルタリング整流ユニットが、
第２キャパシタであって、前記第２キャパシタの第１端が前記信号変換ユニットに連結される第２キャパシタと、
第３レジスタであって、前記第３レジスタの第１端が前記第２キャパシタの第２端に連結され、前記第３レジスタの第２端が前記グランドに連結される第３レジスタと、
第２ダイオードであって、前記第２ダイオードの陽極が前記第２キャパシタの前記第２端に連結される第２ダイオードと、
第３キャパシタであって、前記第３キャパシタの第１端が前記第２ダイオードの陰極に連結され、前記第３キャパシタの第２端が前記グランドに連結される第３キャパシタと、
第４レジスタであって、前記第４レジスタの第１端が前記第２ダイオードの前記陰極に連結され、前記第４レジスタの第２端が前記グランドに連結される第４レジスタと、
第５レジスタであって、前記第５レジスタの第１端が前記第２ダイオードの前記陰極に連結され、前記第５レジスタの第２端が前記クランピング信号を出力することに用いられる第５レジスタと
を含む請求項８記載の負荷制御モジュール。
【請求項１０】
前記ラッチングユニットが、
第３ダイオードであって、前記第３ダイオードの陽極が前記エネルギー蓄積ユニットに連結される第３ダイオードと、
前記エネルギー蓄積ユニットと、前記フィルタリング整流ユニットと、前記第３ダイオードの陰極とに連結され、前記蓄積電圧により駆動される第２シュミットトリガと、
前記エネルギー蓄積ユニットおよび前記第２シュミットトリガに連結され、前記蓄積電圧により駆動される第３シュミットトリガと、
第４ダイオードであって、前記第４ダイオードの陽極が前記第２シュミットトリガに連結される第４ダイオードと、
第６レジスタであって、前記第６レジスタの第１端が第３ダイオードの前記陰極に連結され、前記第６レジスタの第２端が前記第３シュミットトリガに連結される第６レジスタと、を含む請求項８記載の負荷制御モジュール。
【請求項１１】
前記供給電圧がＡＣ信号である時、前記信号変換ユニットが、
前記供給電圧のノイズをフィルタするフィルタと、
前記エネルギー蓄積ユニットおよび前記フィルタに連結され、前記蓄積電圧により駆動され、前記フィルタされた供給電圧を前記計数信号に変換する第１シュミットトリガと、
を含む請求項１記載の負荷制御モジュール。
【請求項１２】
前記供給電圧がＤＣ信号である時、前記信号変換ユニットが電圧制御発振器であり、前記電圧制御発振器が前記エネルギー蓄積ユニットに連結され、前記蓄積電圧により駆動される請求項１記載の負荷制御モジュール。
【発明の詳細な説明】
【技術分野】
【０００１】
本発明は、負荷制御モジュールに関する。特に、電気設備に多様化された制御機能を実行させる負荷制御モジュールに関する。
【背景技術】
【０００２】
１８世紀、米国のフランクリンによる電気の発見によって、人類の文明は、大きな進歩を遂げた。今日の世界で、電気の応用は、社会的物質の生産に貢献しているだけではなく、各局面で人間の生活に広く浸透している。例えば、照明装置、エアコンディショナ、電気ファン、食品加熱器等のような、我々の日常生活に使用される電気設備（electrical equipments）は、いずれも電力により駆動され、正常に作動している。
【０００３】
電気設備の使用において、電気設備の動作（operation）は、通常、スイッチおよび負荷制御モジュール（load control module）によりインタラクティブに（interactively）制御される。例えば、図１は、従来の照明装置の応用を説明する回路ブロック図である。図１において、従来の照明装置１００は、ＬＥＤ（light-emitting diode = LED）１０１およびダイオードドライバ１０２を含む。図１において、動作中、スイッチ１１０がオンとなる（turn on）時、従来の照明装置１００が正常に作動することができる。この時、従来の負荷制御モジュール１２０およびＬＥＤ１０１がスイッチ１１０から出力される供給電圧ＶＳを受けることができ、ＬＥＤ１０１が供給電圧ＶＳにより駆動されることができる。
【０００４】
対応して、従来の負荷制御モジュール１２０がスイッチ１１０から出力される供給電圧ＶＳを固定レベルを有する制御電圧ＶＣに変換する。その後、ダイオードドライバ１０２が制御電圧ＶＣに基づきＬＥＤ１０１により発生される光源を固定明度に調節することができる。一方で、スイッチ１１０がオフとなる(turn off)時、ＬＥＤ１０１および負荷制御モジュール１２０が電源供給から切り離され（cut off）、照明装置１００が光源を正常に提供することができないので、照明装置が停止作動モードを維持する。
【０００５】
上記に基づき、従来照明装置１００の動作モードがスイッチ１１０および従来負荷制御モジュール１２０のインタラクティブな制御の下、正常作動モードおよび停止作動モード間で切り換えられることのみができる。正常作動モード中、負荷制御モジュール１２０は、従来の照明装置１００により発生される光源を固定明度に調節することのみができる。
【発明の開示】
【発明が解決しようとする課題】
【０００６】
言い換えれば、スイッチおよび従来の負荷制御モジュールの制御の下、通常の照明装置または電気設備の回路性能が制限され、便利性の要求にマッチすることができない。従って、如何にスイッチの動作と協調して負荷制御モジュールを動作させ、電気設備を制御して多様化された制御機能を実行させるかが、負荷制御モジュールの開発において、様々な製造業者にとって重要な課題の１つになっていた。
【０００７】
本発明の目的は、スイッチの動作と協調して動作することができ、電気設備を制御して多様化された制御機能を実行させる負荷制御モジュールを提供することにある。
【課題を解決するための手段】
【０００８】
本発明は、電気設備に対する負荷制御モジュールを提供し、電気設備がスイッチの動作により駆動される。負荷制御モジュールは、エネルギー蓄積ユニット（energy storage unit）と、信号変換ユニットと、第１制御ユニットと、第２制御ユニットとを含む。エネルギー蓄積ユニットがスイッチの動作に基づいて蓄積（reserved）電圧を出力するか否かを決定し、ここで、スイッチがオンとなる時、エネルギー蓄積ユニットがスイッチから出力された供給電圧を蓄積電圧に変換し、蓄積電圧を出力する。スイッチがオフとなる時、エネルギー蓄積ユニットが所定時間中、蓄積電圧を継続的に出力する。
【０００９】
更に、信号変換ユニットが起動される（activated）時、信号変換ユニットがスイッチから出力された供給電圧を計数信号に変換する。第１制御ユニットが計数信号をフィルタおよび整流（rectifies）し、整流（rectified）信号を発生し、この場合、整流信号のレベルが第２レベルに切り換えられる時、第１制御ユニットがクランピング信号のレベルを第２レベルにラッチし、第１制御ユニットが再起動される（reactivated）まで、第１レベルを有するクランピング信号を出力することができる。
【００１０】
一方で、第２制御ユニットが起動される時、第２制御ユニットが制御信号を出力して電気設備の特性パラメータを制御し、この場合、第２制御ユニットが第１レベルを有するクランピング信号を受信する時、第２制御ユニットが計数信号に応じて継続的に計数し、計数結果に基づき制御電圧のレベルを調節する。第２制御ユニットが所定値まで計数する（counts up）か、第２レベルを有するクランピング信号を受信する時、第２制御ユニットが計数することを停止し、整流信号の逆変換（inverted）信号に基づき制御電圧のレベルが複数の所定レベルのうちの１つに変換され得る。注意すべきことは、信号変換ユニットと、第１制御ユニットと、第２制御ユニットとがそれぞれエネルギー蓄積ユニットに連結され、蓄積電圧により駆動されることである。
【００１１】
本発明の実施形態おいて、第１制御ユニットがフィルタリング整流ユニット（filtering rectifier unit）およびラッチングユニットを含む。フィルタリング整流ユニットが信号変換ユニットの出力信号をフィルタおよび整流し、整流信号を出力する。ラッチングユニットが起動される時、ラッチングユニットが整流信号に基づきクランピング信号を出力し、この場合、整流信号のレベルが第２レベルに切り換えられる時、ラッチングユニットが再起動されるまで、ラッチングユニットがクランピング信号のレベルを第２レベルにラッチする。更に、ラッチングユニットがエネルギー蓄積ユニットに連結され、蓄積電圧により駆動される。
【００１２】
本発明の実施形態において、第２制御ユニットが周波数分周器（frequency divider）と、計数ユニットと、粗さ調節ユニットと、マルチプレクサと、デジタルアナログ変換器とを含む。周波数分周器が起動される時、周波数分周器が計数信号の周波数を特定周波数に分割して方形波信号を出力する。更に、計数ユニットが起動される時、計数ユニットが方形波信号に基づき累積値を所定値まで計数し、計数ユニットが所定値まで計数するか第２レベルを有するクランピング信号を受信する時、計数ユニットが計数を停止し、第２レベルを有する割り込み（interrupt）信号を発生する。一方、粗さ調節ユニットが起動される時、粗さ調節ユニットが整流信号の逆変換信号および割り込み信号に基づき複数のレベル調節値の１つを出力することを決定し、特定調節値および制御信号を発生する。マルチプレクサが制御信号を受信する時、マルチプレクサが特定調節値を出力し、そうではない時、マルチプレクサが累積値を出力する。従って、デジタルアナログ変換器が起動される時、デジタルアナログ変換器が制御電圧を出力し、累積値または特定調節値に基づき制御電圧のレベルを変換する。注意すべきことは、周波数分周器と、計数ユニットと、粗さ調節ユニットと、マルチプレクサと、デジタルアナログ変換器とが、それぞれエネルギー蓄積ユニットに連結され、蓄積電圧により駆動されることである。
【発明の効果】
【００１３】
本発明において、スイッチがオフとなる時、負荷制御モジュールがエネルギー蓄積ユニットの制御の下、所定時間中、依然として継続的に動作することができる。信号変換ユニットと、第１制御ユニットと、第２制御ユニットとが蓄積電圧により駆動される。スイッチの切り換え速度の違いによって、第２制御ユニットが信号変換ユニットおよび第１制御ユニットの動作に協調して動作し、制御電圧のレベルを調整するか、現状態の制御電圧のレベルを維持することができる。従って、電気設備がスイッチの動作に協調して動作される負荷制御モジュールの制御の下、多様化された制御機能を実行することができる。
【発明を実施するための最良の形態】
【００１４】
図２は、本発明の一実施形態に係る負荷制御モジュール（load control module）の回路ブロック図である。この負荷制御モジュール２００は、スイッチ２１０の作動によって駆動される電気設備（electrical equipments）２２０に適合するように構成されている。更に、負荷制御モジュール２００がエネルギー蓄積ユニット（energy storage unit）２３０と、第１制御ユニット２４０と、第２制御ユニット２５０と、信号変換ユニット２６０とを含む。エネルギー蓄積ユニット２３０がスイッチ２１０と、第１制御ユニット２４０と、第２制御ユニット２５０と、信号制御ユニット２６０とに連結される。第１制御ユニット２４０が信号変換ユニット２６０に連結され、第２制御ユニット２５０が第１制御ユニット２４０および信号制御ユニット２６０に連結される。
【００１５】
図３は、図２の実施形態に係る波形のタイミング図である。図２および図３において、スイッチ２１０がスイッチング信号Ｓ３１に応じて切り換わる。例えば、スイッチング信号Ｓ３１のレベルが第１レベルＬ１に切り換えられる時、スイッチ２１０がオンとなる。そうではない時、スイッチング信号Ｓ３１のレベルが第２レベルＬ２に切り換えられる時、スイッチ２１０がオフとなる。本実施形態中、第１レベルＬ１が論理１であると仮定し、第２レベルＬ２が論理０であると仮定する。便宜上、上記仮定に基づいて次の実施形態を説明する。
【００１６】
負荷制御モジュール２００の動作メカニズムに関して、負荷制御モジュール２００がスイッチの動作に協調して動作される。スイッチ２１０がオンとなる時、エネルギー蓄積ユニット２３０がスイッチ２１０から出力される供給電圧ＶＰを蓄積（reserved）電圧ＶＳＴに変換し、蓄積電圧ＶＳＴを第１制御ユニット２４０と、第２制御ユニット２５０と、信号制御ユニット２６０とに出力する。反対に、スイッチ２１０がオフとなる時、エネルギー蓄積ユニット２３０が所定時間ＴＰ中、蓄積電圧ＶＳＴを継続的に出力することができる。注意すべきことは、エネルギー蓄積ユニット２３０が蓄積電圧ＶＳＴの高遷移（high transition）中に、第１リセット信号ＳＲ１を出力し、蓄積電圧ＶＳＴのレベルが閾値まで達する（drops）時、第２リセット信号ＳＲ２を出力することである。
【００１７】
例えば、開始時、即ち、時間点ｔ０において、負荷制御モジュール２００が起動され、蓄積電圧ＶＳＴの出力を開始し、蓄積電圧ＶＳＴの高遷移中、第１リセット信号ＳＲ１を出力する。その後、時間点ｔ１および時間点ｔ２間、時間ＴＳ１が所定時間ＴＰより短いので、エネルギー蓄積ユニット２３０が蓄積電圧ＶＳＴを継続的に出力することができる。同様に、時間ＴＳ２が所定時間ＴＰより短いので、時間点ｔ３および時間点ｔ５間、エネルギー蓄積ユニット２３０が蓄積電圧ＶＳＴを継続的に出力することができる。しかしながら、時間点ｔ６および時間点ｔ８間、時間ＴＳ３が所定時間ＴＰより長いので、エネルギー蓄積ユニット２３０が所定時間ＴＰ中、蓄積電圧ＶＳＴを継続的に出力することができ、時間点ｔ７および時間点ｔ８間、蓄積電圧ＶＳＴを出力することを停止する。注意すべきことは、蓄積電圧ＶＳＴの継続的な下降の過程中、蓄積電圧ＶＳＴのレベルが閾値（例えば、０．５＊ＶＳＴ）に達する時、エネルギー蓄積ユニット２３０が更に第２リセット信号ＳＲ２を出力することである。
【００１８】
また、第１制御ユニット２４０と、第２制御ユニット２５０と、信号変換ユニット２６０とが、いずれも蓄積電圧ＶＳＴにより駆動される。従って、スイッチ２１０がオンとなる時、第１制御ユニット２４０と、第２制御ユニット２５０と、信号変換ユニット２６０とが、いずれも起動される。スイッチ２１０がオフとなる時、第１制御ユニット２４０と、第２制御ユニット２５０と、信号制御ユニット２６０とが所定時間ＴＰ中、動作を維持することのみできる。第１制御ユニット２４０と、第２制御ユニット２５０と、信号制御ユニット２６０との動作メカニズムを以下に詳細に説明する。
【００１９】
図２および図３において、スイッチング信号Ｓ３１が開始時に時間点ｔ０で第１レベルＬ１に切り換えられる時、信号変換ユニット２６０が起動され、供給電圧ＶＰを計数信号ＳＣＴに変換する。その後、第１制御ユニット２４０が計数信号ＳＣＴをフィルタおよび整流して整流（rectified）信号ＳＲＥを発生し、第１リセット信号ＳＲ１に基づき第１レベルＬ１を有するクランピング信号ＳＬＡを出力する。
【００２０】
一方で、第２制御ユニット２５０が、最初に第１リセット信号ＳＲ１に応じてリセットされる。その後、第２制御ユニット２５０が第１レベルＬ１を有するクランピング信号ＳＬＡを受信し、第２制御信号２５０が計数信号ＳＣＴに応じて継続的に計数し、計数結果に基づき制御電圧ＶＣＬのレベルを調節する。例えば、時間点ｔ０および時間点ｔ１間、第２制御ユニット２５０が計数信号ＳＣＴから方形波を継続的に受信することができ、３つの方形波が受信される毎に制御電圧ＶＣＬを調節する。
【００２１】
注意すべきことは、第２制御ユニット２５０が所定値まで計数するか第２レベルＬ２を有するクランピング信号ＳＬＡを受信する時のみ、第２制御ユニット２５０が計数することを停止することである。言い換えれば、第２制御ユニット２５０が時間点ｔ０および時間点ｔ１間に所定値まで計数しなければ、第２制御ユニット２５０が時間点ｔ１後にクランピング信号ＳＬＡを第２レベルＬ２に切り換えることにより計数することを停止する。反対に、第２制御ユニット２５０が時間点ｔ０および時間点ｔ１間に所定値まで計数すれば、第２制御ユニット２５０が時間点ｔ１後に計数停止状態を維持する。更に、計数停止期間中、制御電圧ＶＣＬのレベルが整流信号の逆変換（inverted）信号/ＳＲＥに基づき第２制御ユニット２５０の制御の下、複数の所定レベルの１つに切り換えられることができる。
【００２２】
例えば、時間点ｔ０および時間点ｔ１間に第２制御ユニット２５０が所定値まで計数しないと仮定すると、時間点ｔ１および時間点ｔ８間の第１制御ユニット２４０および第２制御ユニット２５０の動作を以下に詳細に説明する。時間点ｔ１において、スイッチ信号Ｓ３１が第２レベルＬ２に切り換えられる。時間点ｔ１および時間点ｔ２間、整流信号ＳＲＥが計数信号ＳＣＴの波形の変動（variation）に従って第２レベルＬ２に切り換えられることができるので、第１制御ユニット２４０がクランピング信号ＳＬＡのレベルを第２レベルＬ２にラッチ（latch）することができる。
【００２３】
第２制御ユニット２５０が第２レベルＬ２を有するクランピング信号ＳＬＡを受信した後、第２制御ユニット２５０が計数することを停止する。言い換えれば、時間点ｔ２および時間点ｔ３間、第２制御ユニット２５０が制御電圧ＶＣＬのレベルを調節することを停止することができるので、曲線ＣＶ１に示すように、制御電圧ＶＣＬのレベルが時間点ｔ１および時間点ｔ３間中、不変を維持する。
【００２４】
続いて、スイッチングＳ３１が時間点ｔ３で第２レベルＬ２に戻るように切り換えられ（switched back）、この時、第２制御ユニット２５０が計数停止状態にあり、制御電圧ＶＣＬのレベルが整流信号の逆変換信号/ＳＲＥに基づき第２制御ユニット２５０の制御の下、所定レベルＬＡＴ１〜ＬＡＴＡ３の１つに切り換えられ得る。例えば、曲線ＣＶ１に示すように、制御電圧ＶＣＬのレベルが時間点ｔ５で所定レベルＬＡＴ１に切り換えられる。
【００２５】
また、時間点ｔ６において、スイッチング信号Ｓ３１が第２レベルＬ２に戻るように切り換えられる。スイッチ２１０がオフ状態となっている時間ＴＳ３が所定時間ＴＰよりも長いので、負荷制御モジュール２００が時間点ｔ６および時間点ｔ７間で継続的に動作することのみ可能であり、時間点ｔ７および時間点ｔ８間で無効（disabled）となる。これと対応して、負荷制御モジュール２００が無効状態を維持する時、第２制御ユニット２５０が制御電圧ＶＣＬのレベルが最低レベルに切り換えられるようにし、負荷制御モジュール２００が時間点ｔ８で起動されるまで、制御電圧ＶＣＬのレベルを再調節することができる。
【００２６】
注意すべきことは、無効状態に入る前、第２制御ユニット２５０が先ず第２リセット信号ＳＲ２に応じてリセットされることである。また、負荷制御モジュール２００が再起動され、負荷制御モジュール２００が時間点ｔ０および時間点ｔ８間に実行される動作を繰り返す。
【００２７】
更に、第２制御ユニット２５０が時間点ｔ０および時間点ｔ１間、所定値まで計数すると仮定して、時間点ｔ１および時間点ｔ８間の第１制御ユニット２４０および第２制御ユニット２５０の動作を以下のように詳細に説明する。時間点ｔ１において、スイッチング信号Ｓ３１が第２レベルＬ２に切り換えられる。時間点ｔ１および時間点ｔ２間、第２制御ユニット２５０が計数停止状態にあるので、制御電圧ＶＣＬのレベルが整流信号の逆変換信号/ＳＲＥに基づき第２制御ユニット２５０の制御の下、所定レベルＬＡＴ１〜ＬＡＴＡ３の１つに切り換えることができる。例えば、曲線ＣＶ２に示すように、制御電圧ＶＣＬのレベルが時間点ｔ２および時間点ｔ３間で所定レベルＬＡＴ１に切り換えられる。
【００２８】
続いて、スイッチングＳ３１が時間点ｔ３で第２レベルＬ２に戻るように再度切り換えられ、制御電圧ＶＣＬのレベルが整流信号の逆変換信号/ＳＲＥに基づき第２制御ユニット２５０の制御の下、所定レベルＬＡＴ１〜ＬＡＴＡ３の１つに切り換えることができる。例えば、曲線ＣＶ２に示すように、制御電圧ＶＣＬのレベルが時間点ｔ５および時間点ｔ６間で所定レベルＬＡＴ２に切り換えられる。
【００２９】
また、スイッチング信号Ｓ３１が時間点ｔ６で第２レベルＬ２に戻るように再度切り換えられる時、負荷制御モジュール２００が時間点ｔ７および時間点ｔ８間、無効状態を維持し、制御電圧ＶＣＬのレベルが最低レベルに切り換えられる。無効状態に入る前、第２制御ユニット２５０が先ず第２リセット信号ＳＲ２に応じてリセットされる。
【００３０】
上記のように、スイッチング信号Ｓ３１が開始時、時間点ｔ０で第１レベルＬ１に切り換えられる時、負荷制御モジュール２００が制御電圧ＶＣＬのレベルを継続的に調節することを開始し、スイッチ２１０の状態がオンとなるまでスイッチ信号Ｓ３１に応じて素早く切り換えられ、即ち、時間点ｔ１まで負荷制御モジュール２００が整流信号の逆変換信号/ＳＲＥに基づき制御電圧ＶＣＬのレベルを調節することができる。一方で、時間点ｔ６において、スイッチング信号Ｓ３１が第２レベルＬ２に切り換えられる。スイッチ２１０がオフ状態にある時間ＴＳ３が所定時間ＴＰより長いので、負荷制御モジュール２００が再起動されて時間点ｔ０および時間点ｔ８間に実行される動作を繰り返す。従って、電気設備２２０がスイッチ２１０の動作と協調して動作される負荷制御モジュール２００の制御の下、多様化された制御機能を実行することができる。
【００３１】
例えば、電気設備２２０が照明装置であると仮定する。時間点ｔ０および時間点ｔ１間、受信する制御電圧ＶＣＬのレベルが継続的に変動し、照明装置が制御電圧ＶＣＬのレベルに基づき光源の明度を継続的に上昇させることができ、スイッチ２１０の状態がオンとなるまで、素早く切り換えられ、即ち、時間点ｔ１まで、スイッチ２１０の素早い切り換えに従って、照明装置の光源の明度が複数の所定明度の１つに切り換えられることができる。反対に、スイッチ２１０がオフ状態にある時間が所定時間ＴＰよりも長い時（例えば、２秒）、負荷制御モジュール２００が再起動され、照明装置の光源の明度がスイッチ２１０の動作に協調して動作される負荷制御モジュール２００の制御の下、調節されることができる。
【００３２】
従って、従来の技術と比較すると、照明装置が起動される時、スイッチ２１０の動作に協調して動作される従来の負荷制御モジュール１２０の制御の下、照明装置が固定明度を有する光源を提供することのみが可能である。しかしながら、照明装置が起動される時、スイッチ２１０の動作に協調して動作される本負荷制御モジュール２００の制御の下、照明装置の光源の明度を調節することができる。言い換えれば、スイッチにより制御される電気設備が本実施形態の負荷制御モジュール２００の制御の下、多様化された制御機能を実行することができる。
【００３３】
同様に、電気設備２２０が食品加熱器であると仮定する。時間点ｔ０および時間点ｔ１間、食品電熱器が制御電圧ＶＣＬのレベルに基づきその熱源の温度を継続的に上昇させることができ、スイッチ２１０のオン状態が素早く切り換えられるまで、即ち、時間点ｔ１まで、食品電熱器の熱源の温度が制御電圧ＶＣＬに基づき食品電熱器の制御の下、複数の所定温度の１つに切り換えることができる。
【００３４】
また、電気設備２２０がエアコンディショナであると仮定する。時間点ｔ０および時間点ｔ１間、エアコンディショナが制御電圧ＶＣＬのレベルに基づき室温を継続的に下降させることができ、スイッチ２１０のオン状態が素早く切り換えられるまで、即ち、時間点ｔ１まで、室温が制御電圧ＶＣＬに基づきエアコンディショナの制御の下、複数の所定温度の１つに切り換えることができる。
【００３５】
当業者に発明の概念を完全に伝えるため、エネルギー蓄積ユニット２３０と、第１制御ユニット２４０と、第２制御ユニット２５０と、信号変換ユニット２６０との内部構造を更に以下に詳細に説明する。
【００３６】
図４は、本発明の実施形態に係るエネルギー蓄積ユニットの詳細な回路図である。便宜上、スイッチ２１０を図４に加えてある。図４において、エネルギー蓄積ユニット２３０がダイオードＤ１と、レジスタＲ１〜Ｒ２と、キャパシタＣ１と、レギュレータ４１０と、リセット回路４２０とを含む。ダイオードＤ１の陽極がスイッチ２１０に連結される。レジスタＲ１の第１端がダイオードＤ１の陰極に連結される。レジスタＲ２がレジスタＲ１の第２端およびグランド間に連結される。キャパシタＣ１もレジスタＲ１の第２端およびグランド間に連結される。レギュレータ４１０がレジスタＲ２の第１端に連結され、リセット回路４２０がレギュレータ４１０に連結される。
【００３７】
動作中、スイッチ２１０がオンとなる時、スイッチ２１０から出力される供給電圧ＶＰがダイオードＤ１を介してレジスタＲ１およびＲ２に到達する（drops on）。レジスタＲ１およびＲ２により形成される電圧差がキャパシタＣ１に保存され、レギュレータ４１０が電圧差を蓄積電圧ＶＳＴに変換し、蓄積電圧ＶＳＴを継続的に出力する。反対に、スイッチ２１０がオフとなる時、キャパシタＣ１が所定時間ＴＰ内、保存された電圧差をレジスタＲ２に放出する。従って、スイッチ２１０がオフとなる時、レギュレータ４１０が所定時間ＴＰ中、蓄積電圧ＶＳＴを依然として出力することができる。この場合、所定時間ＴＰがキャパシタＣ１の容量およびレジスタＲ２の抵抗により決定され、且つ、レギュレータ４１０およびその後方（there behind）の負荷により決定される。一方では、リセット回路４２０が蓄積電圧ＶＳＴのレベルを継続的に検知する（detect）ことができ、蓄積電圧ＶＳＴの高遷移中、第１リセット信号ＳＲ１を出力し、蓄積電圧ＶＳＴのレベルが閾値に到達する時、第２リセット信号ＳＲ２を出力する。
【００３８】
図５Ａおよび図５Ｂは、それぞれ本発明の実施形態に係る信号変換ユニットを説明する詳細な回路図である。注意すべきことは、信号変換ユニット２６０の回路構造を負荷制御モジュール２００の実際の要求に基づき変化させることができることである。例えば、ＡＣ信号の供給電圧ＶＰが負荷制御モジュール２００に印加される時、信号変換ユニット２６０の回路構造が図５Ａに示す如きであり、ここで、信号変換ユニット２６０がフィルタ５１０およびシュミットトリガ５２０を含む。フィルタ５１０が供給電圧ＶＰのノイズをフィルタすることに用いられる。シュミットトリガ５２０がエネルギーユニット２３０に連結され、シュミットトリガ５２０が蓄積電圧ＶＳＴに応じて起動されることができる。更に、シュミットトリガ５２０が起動される時、シュミットトリガ５２０がフィルタされた供給電圧ＶＰを計数信号ＳＣＴに変換することができる。
【００３９】
しかしながら、ＤＣ信号の供給電圧ＶＰが負荷制御モジュール２００に印加される時、信号変換ユニット２６０が図５Ｂ中に示される電圧制御発振器（voltage-controlled oscillator =VCO）５３０から構成され得る。電圧制御発振器５３０がエネルギー蓄積ユニット２３０に連結され、シュミットトリガ５２０が蓄積電圧ＶＳＴに応じて起動され得る。更に、電圧制御発振器５３０が起動される時、電圧制御発振器５３０が供給電圧ＶＰのレベルに基づき、計数信号ＳＣＴを発生する。
【００４０】
図６は、本発明の実施形態に係る第１制御ユニットを説明する詳細な回路図である。図６において、第１制御ユニット２４０がフィルタリング整流ユニット６１０およびラッチングユニット６２０を含む。当業者に発明の概念を完全に伝えるため、フィルタリング整流ユニット６１０およびラッチングユニット６２０の内部構造を更に以下に詳細に説明する。
【００４１】
図６において、フィルタリング整流ユニット６１０がキャパシタＣ２〜Ｃ３と、ダイオードＤ２と、レジスタＲ３〜Ｒ５とを含む。キャパシタＣ２の第１端が信号変換ユニット２６０に連結される。レジスタＲ３がキャパシタＣ２の第２端およびグランド間に連結される。ダイオードＤ２の陽極がキャパシタＣ２の第２端に連結される。キャパシタＣ３およびレジスタＲ４が、それぞれダイオードＤ２の陰極およびグランド間に連結される。レジスタＲ５がダイオードＤ２の陰極およびラッチングユニット６２０間に連結される。
【００４２】
図３および図６において、フィルタリング整流ユニット６１０の動作を以下に説明する。時間点ｔ０および時間点ｔ１間、フィルタリング整流ユニット６１０が計数信号ＳＣＴから方形波を受信することができ、キャパシタＣ２およびレジスタＲ３が計数信号ＳＣＴの方形波を複数のパルスに変換することができる。ダイオードＤ２により整流され、レジスタＲ４およびキャパシタＣ３によりフィルタされた後、パルスが第１レベルＬ１を有する整流信号ＳＲＥを形成する。反対に、時間点ｔ１および時間点ｔ２間、フィルタリング整流ユニット６１０が計数信号ＳＣＴから方形波を受信することができず、フィルタリング整流ユニット６１０が第２レベルＬ２を有する整流信号ＳＲＥを出力する。
【００４３】
類推すると、時間点ｔ２および時間点ｔ６間、フィルタリング整流ユニット６１０が計数信号号ＳＣＴに基づき第１レベルＬ１を有する整流信号ＳＲＥを出力する。これと反対に、時間点ｔ６および時間点ｔ７間、フィルタリング整流ユニット６１０が第２レベルＬ２を有する整流信号ＳＲＥを出力する。
【００４４】
図６において、ラッチングユニット６２０がシュミットトリガ６２１，６２２と、ダイオードＤ３，Ｄ４と、レジスタＲ６を含む。シュミットトリガ６２１，６２２が相互に連結される。ダイオードＤ３の陽極およびダイオードＤ４の陰極が、それぞれシュミットトリガ６２１に連結される。レジスタＲ６がダイオードＤ３の陰極およびシュミットトリガ６２２間に連結される。
【００４５】
図３および図６において、ラッチングユニット６２０の動作を以下に説明する。シュミットトリガ６２１，６２２と、ダイオートＤ３と、レジスタＲ６とがフィードバック回路を形成する。フィードバック回路に基づき、ラッチングユニット６２０により受信される整流信号ＳＲＥのレベルが第１レベルＬ１から第２レベルＬ２に切り換えられる時、ラッチングユニット６２０がダイオードＤ４を介して第１リセット信号ＳＲ１を受信するまで、ラッチングユニット６２０がクランピング信号ＳＬＡのレベルを第２レベルＬ２にラッチする。
【００４６】
例えば、時間点ｔ０において、クランピング信号ＳＬＡのレベルがダイオードＤ４により受信される第１リセット信号ＳＲ１に応じて第１レベルＬ１に切り換えられる。その後、時間点ｔ０および時間点ｔ１間、ラッチングユニット６２０が第１レベルＬ１を有する整流信号ＳＲＥを受信し、第１レベルＬ１を有するクランピング信号ＳＬＡを出力する。しかしながら、時間点ｔ１において、整流信号ＳＲＥが第１レベルＬ１から第２レベルＬ２に切り換えられるので、ラッチングユニット６２０がクランピング信号ＳＬＡのレベルを第２レベルＬ２にラッチし、時間点ｔ８まで、ラッチングユニット６２０が第１リセット信号ＳＲ１に基づき再度クランピング信号ＳＬＡのレベルを第１レベルＬ１に切り換えるようにしている。
【００４７】
図７は、本発明の実施形態に係る第２制御ユニットを説明する詳細な回路図である。図７において、第２制御ユニット２５０が周波数分周器７１０と、計数ユニット７２０と、粗さ調節ユニット（rough adjusting unit）７３０と、マルチプレクサ７４０と、デジタルアナログ変換器７５０と、バッファ（buffer）７６０とを含む。周波数分周器７１０が信号変換ユニット２６０に連結される。計数ユニット７２０が周波数分周器７１０に連結される。粗さ調節ユニット７３０が計数ユニット７２０および第１制御ユニット２４０に連結される。マルチプレクサ７４０が計数ユニット７２０と、粗さ調節ユニット７３０と、第１制御ユニット２４０とに連結される。デジタルアナログ変換器７５０が計数ユニット７２０およびバッファ７６０間に連結される。
【００４８】
図３および図７において、動作中、周波数分周器７１０と、計数ユニット７２０と、粗さ調節ユニット７３０と、マルチプレクサ７４０と、デジタルアナログ変換器７５０と、バッファ７６０とがそれぞれエネルギー蓄積ユニット２３０に連結され、蓄積電圧ＶＳＴにより駆動される。更に、周波数分周器７１０が起動される時、周波数分周器７１０が計数信号ＳＣＴの周波数を特定周波数に分割し、方形波信号ＳＲＷを出力する。例えば、本実施形態中、周波数分周器７１０が図３に示すように計数信号ＳＣＴの周波数を３分割して方形波信号ＳＲＷを発生する。
【００４９】
計数ユニット７２０が計数器７２１と、ＡＮＤゲート７２２と、インバータ７２３とを含む。計数器７２１が起動される時、計数器７２１が方形波信号ＳＲＷに基づき累積値ＰＡＵを所定値まで計数し、所定値まで計数した時、第１レベルＬ１を有する状態信号ＳＴを出力する。一方で、ＡＮＤゲート７２２の一端がインバータ７２３を介して状態信号ＳＴの逆変換信号を受信し、ＡＮＤゲート７２２のもう一端がクランピング信号ＳＬＡを受信する。状態信号ＳＴおよびクランピング信号ＳＬＡの変動に伴い、ＡＮＤゲート７２２が割り込み信号ＳＢを計数器７２１に出力する。注意すべきことは、割り込み信号ＳＢのレベルが第２レベルＬ２（例えば、論理０）である時、計数器７２１が計数を停止することである。即ち、クランピング信号ＳＬＡおよび状態信号ＳＴの逆変換信号の１つが第２レベルＬ２（例えば、論理０）を有する時、計数器７２１が計数を停止する。
【００５０】
粗さ調節ユニット７３０がＡＮＤゲート７３１と、レベルセレクタ７３２と、インバータ７３３とを含む。ＡＮＤゲート７３１の一端がインバータ７３３を介して割り込み信号ＳＢの逆変換信号を受信し、ＡＮＤゲート７３１のもう一端が整流信号の逆変換信号/ＳＲＥを受信する。割り込み信号ＳＢの逆変換信号および整流信号の逆変換信号/ＳＲＥが同時に第１レベル（例えば、論理１）に切り換えられ、ＡＮＤゲート７３１が有効信号（enable signal）を出力する。有効信号が受信される時、レベルセレクタ７３２が特定調節値ＰＳＦとなる複数のレベル調節値の１つを選択し、特定調節値ＰＳＦおよび制御信号をマルチプレクサ７４０に出力する。言い換えれば、割り込み信号ＳＢが第２レベルＬ２（例えば、論理０）に切り換えられる時、即ち、計数器７２１が停止する時、整流信号の逆変換信号/ＳＲＥが第１レベルＬ１（例えば、論理１）に切り換えられさえすれば、レベルセレクタ７３２が特定調節値ＰＳＦおよび制御信号をマルチプレクサ７４０に出力する。
【００５１】
一方で、マルチプレクサ７４０が累積値ＰＡＵおよび特定調節値ＰＳＦを受信する。マルチプレクサ７４０がレベルセレクタ７３２から出力される制御信号を受信する時、マルチプレクサ７４０が特定調節値ＰＳＦをデジタルアナログ変換器７５０に出力する。そうではない時、マルチプレクサ７４０が累積値ＰＡＵをデジタルアナログ変換器７５０に出力する。言い換えれば、デジタルアナログ変換器７５０が計数器７２１から出力される累積値ＰＡＵを受信するか、レベルセレクタ７３２から出力される特定調節値ＰＳＦを受信する。その後、デジタルアナログ変換器７５０が受信した値に基づき制御電圧ＶＣＬのレベルを変換する。
【００５２】
例えば、図３に示すように、時間点ｔ０および時間点ｔ１間、クランピング信号ＳＬＡが第１レベルＬ１を維持するので、計数器７２１が累積値ＰＡＵを継続的に上昇または降下させることができる。従って、デジタルアナログ変換器７５０が累積値ＰＡＵの値の変動に基づき制御電圧ＶＣＬのレベルを制御することができる。しかしながら、累積値ＰＡＵが時間点ｔ０および時間点ｔ１間に所定値まで計数されない場合、時間点ｔ１および時間点ｔ２間、スイッチング信号Ｓ２１に応じてスイッチ２１０の素早い切り換えに伴い、計数器７２１が第２レベルＬ２を有するクランピング信号ＳＬＡに基づき計数することを停止し、マルチプレクサ７４０が時間点ｔ２および時間点ｔ３間、固定値を有する累積値ＰＡＵをデジタルアナログ変換器７５０に出力する。従って、曲線ＣＶ１に示すように、制御電圧ＶＣＬのレベルが時間点ｔ１および時間点ｔ３間、固定レベルを維持する。
【００５３】
一方で、累積値ＰＡＵが時間点ｔ０および時間点ｔ１間に所定値まで計数される場合、即ち、割り込み信号ＳＢが時間点ｔ１後に第２レベルＬ２（例えば、論理０）に切り換えられ、マルチプレクサ７４０がスイッチ２１０の素早い切り換えに伴い、時間点ｔ２および時間点ｔ３間に特定調節値ＰＳＦをデジタルアナログ変換器７５０に出力する。レベルセレクタ７３２のレベル調節値がそれぞれ所定レベルＬＡＴ１〜ＬＡＴ３に対応するので、曲線ＣＶ２に示すように、制御電圧ＶＣＬのレベルが時間点ｔ２および時間点ｔ３間に所定レベルＬＡＴ１〜ＬＡＴ３の１つに切り換えられる。
【００５４】
更に、バッファ７６０がデジタルアナログ変換器７５０および電気設備２２０間に連結され、バッファが起動される時、デジタルアナログ変換器７５０から出力される制御電圧ＶＣＬをバッファおよび出力することに用いられる。注意すべきことは、計数器７２１と、レベルセレクタ７３２と、バッファ７６０とが、更にエネルギー蓄積ユニット２３０に連結され、蓄積電圧ＶＳＴにより駆動されることである。また、周波数分周器７１０と、計数器７２１と、レベルセレクタ７３２とが更にエネルギー蓄積ユニット２３０から出力される第１リセット信号ＳＲ１および第２リセット信号ＳＲ２を受信し、計数器７２１が第１リセット信号ＳＲ１および第２リセット信号ＳＲ２に基づき計数動作を再実行することができ、周波数分周器７１０が第１リセット信号ＳＲ１および第２リセット信号ＳＲ２に基づき分割動作を再実行することができ、レベルセレクタ７３２が第１リセット信号ＳＲ１および第２リセット信号ＳＲ２に基づきリセットされ得る。
【００５５】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００５６】
【図１】従来の照明装置の応用を説明する回路ブロック図。
【図２】本発明の実施形態に係る負荷制御モジュール（load control module）の回路ブロック図。
【図３】図２の実施形態に係る波形のタイミング図。
【図４】本発明の実施形態に係るエネルギー蓄積ユニット（energy storage unit）の詳細な回路図。
【図５Ａ】本発明の実施形態に係る信号変換ユニットを説明する詳細な回路図。
【図５Ｂ】本発明の実施形態に係る信号変換ユニットを説明する図５Ａと同様な詳細な回路図。
【図６】本発明の実施形態に係る第１制御ユニットを説明する詳細な回路図。
【図７】本発明の実施形態に係る第２制御ユニットを説明する詳細な回路図。
【符号の説明】
【００５７】
１００  従来の照明装置
１０１  ＬＥＤ（light-emitting diode）
１０２  ダイオードドライバ
１１０，２１０  スイッチ
１２０  従来の負荷制御モジュール
２００  負荷制御モジュール
２２０  電気設備
２３０  エネルギー蓄積ユニット（energy storage unit）
２４０  第１制御ユニット
２５０  第２制御ユニット
２６０  信号変換ユニット
４１０  レギュレータ
４２０  リセット回路
５１０  フィルタ
５２０，６２１，６２２  シュミットトリガ
５３０  電圧制御発振器（voltage-controlled oscillator =VCO）
６１０  フィルタリング整流ユニット（filtering rectifier unit）
６２０  ラッチングユニット
７１０  周波数分周器
７２０  計数ユニット（counting unit）
７３０  粗さ調節ユニット
７４０  マルチプレクサ（multiplexer）
７５０  デジタルアナログ変換器
７６０  バッファ（buffer）
７２１  計数器
７２２，７３１  ＡＮＤゲート
７２３，７３３  インバータ
７３２  レベルセレクタ
Ｄ１〜Ｄ４  ダイオード
Ｒ１〜Ｒ６  レジスタ
Ｃ１〜Ｃ３  キャパシタ
【図１】
0004721365.tif 000002
【図２】
0004721365.tif 000003
【図３】
0004721365.tif 000004
【図４】
0004721365.tif 000005
【図５Ａ】
0004721365.tif 000006
【図５Ｂ】
0004721365.tif 000007
【図６】
0004721365.tif 000008
【図７】
0004721365.tif 000009